(57)【要約】【課題】斜面全体の緑化を可能とし、斜面の充分な安定化も達成する。【解決手段】多数の貫通孔を表面から裏面まで貫通させた、多孔帯状体１を使用する。この多孔帯状体１を法枠の断面形状に近い形状に湾曲変形させるなどして、法枠骨組み３を形成する。この法枠骨組み３を斜面５上に配置し、配置した法枠骨組み３の上から砂基材４を供給する。法枠Ａの間には、植生孔１２を有する受圧板Ｂを設置して、アンカー１１にて固定する。【選択図】図１
2008303671.tif 000002
【特許請求の範囲】
【請求項１】
多数の貫通孔を有する屈曲可能な多孔帯状体を、筒状、或いは斜面側が凹側となるように変形して法枠骨組みを形成し、
前記法枠骨組みを斜面上に複数配置し、
前記法枠骨組みの内部、或いは斜面側に砂基材を供給して法枠を形成し、
前記複数の法枠と法枠との間に、
植生孔を有する受圧板を設置してアンカーによって固定し、
斜面全体の緑化を行う斜面の緑化と安定化構造。
【請求項２】
多孔帯状体は、筒の中、或いは斜面側の凹側に、間隔保持材を掛け渡して、その形状を維持したことを特徴とする
請求項１記載の斜面の緑化と安定化構造。
【請求項３】
間隔保持材として、板状で、かつ多数の貫通孔を表面から裏面まで貫通させた連結多孔体を使用したことを特徴とする
請求項１又は２記載の斜面の緑化と安定化構造。
【請求項４】
間隔保持材として、線状で、両端を多孔帯状体に引っ掛けることにより多孔帯状体の形状を維持することを特徴とする
請求項１又は２記載の斜面の緑化と安定化構造。
【請求項５】
多孔帯状体として、樹脂、又は樹脂を含む複合材料、防錆処理した金網やエキスパンドメタルによって形成した帯状体とすることを特徴とする
請求項１，２，３又は４記載の斜面の緑化と安定化構造。
【請求項６】
法枠骨組みを格子状に配置することにより、縦枠と横枠とを形成し、
格子状の縦枠と横枠が形成する升目の中に、受圧板を設置することを特徴とする
請求項１，２，３，４又は５記載の斜面の緑化と安定化構造。
【請求項７】
前記法面において、前記法枠骨組みを十文字状に配置することによって、縦枠と横枠とを形成し、
十文字状の法枠骨組みの間に、受圧板を設置することを特徴とする
請求項１，２，３，４又は５記載の斜面の緑化と安定化構造。
【請求項８】
法枠骨組みを設置する前に、
斜面上に、多数の貫通孔を表面から裏面まで貫通させた多孔性材料を敷設することを特徴とする
請求項１，２，３，４，５，６又は７記載の斜面の緑化と安定化構造。
【請求項９】
多孔性材料として、樹脂、又は樹脂を含む複合材料によって形成した網状材、或いは防錆処理した金網やエキスパンドメタルを使用することを特徴とする
請求項８記載の斜面の緑化と安定化構造。
【請求項１０】
中心部にアンカーを通すアンカー孔を有し、
中心部から放射状に複数のリブと、
前記複数のリブの先端を繋ぐ外枠部とによって、リブと外枠部と間に植生孔が形成されており、
前記外枠部の一部が切欠かれて高さが低くなった植生部を有する
斜面安定用受圧板。
【請求項１１】
外枠部、リブの一方、若しくは外枠部とリブの双方に、一方の側面から他方の側面に貫通する通水孔を設けたことを特徴とする
請求項１０記載の斜面安定用受圧板。
【請求項１２】
鋳鉄、鋼製、プラスチック、繊維強化プラスチック、再生プラスチック、等によって形成してなる
請求項１０又は１１記載の斜面安定用受圧板。
【発明の詳細な説明】
【技術分野】
【０００１】
本発明は、斜面の緑化と安定化構造及び斜面安定用受圧板に関するものである。
【背景技術】
【０００２】
斜面の崩壊を阻止する工法として、斜面に格子状にモルタルやコンクリートを吹き付けて構成する法枠が広く採用されている。
さらに特許文献１に示すように、金属の網で構成したシート状網体を湾曲させ、長さ方向に連続させ、所要位置で十字状に交差させてその上からモルタルやコンクリートを吹き付ける工法も知られている。
これらの工法では、法枠を構築するだけでなく、次の工程では法枠で囲まれた地山の露出した範囲には植生を施して景観に考慮する作業が行われている。
【特許文献１】特開平８−１５１６３７号公報。
【発明の開示】
【発明が解決しようとする課題】
【０００３】
前記の特許文献１などで開示されている従来の法枠施工による斜面の安定化にあっては、次のような問題点がある。
＜１＞  十文字状の法枠で囲まれた範囲に植生を施すから、その範囲では植物が青々と育って良い景観を与えることができる。
しかし、法枠自体はコンクリート、モルタル製であるから、そこだけは植物が育つことがなく、遠方から見ると白っぽい枠体として法面に浮き上がって見えて、せっかくの景観を損なってしまう。
＜２＞  景観を良好にするために、コンクリートなどを使用せず、斜面に網状の部材を組んで、砂などを詰めて、この砂などに植生し、斜面全体を緑化することが考えられる。
しかしながら、網状の部材から成る法枠だけでは充分な斜面の安定を得るまでは至らず、斜面の安定化工法としては物足りないものがあった。
【課題を解決するための手段】
【０００４】
以上のような課題を解決するために、本発明にかかる斜面の緑化と安定化構造は、
多数の貫通孔を有する屈曲可能な多孔帯状体を、筒状、或いは斜面側が凹側となるように変形して法枠骨組みを形成し、
前記法枠骨組みを斜面上に複数配置し、
前記法枠骨組みの内部、或いは斜面側に砂基材を供給し、
前記複数の法枠骨組みと法枠骨組みとの間に、
植生孔を有する受圧板を設置してアンカーによって固定するものである。
また、本発明にかかる他の斜面の緑化と安定化構造では、
多孔帯状体は、筒の中、或いは斜面側の凹側に、間隔保持材を掛け渡して、その形状を維持するものである。
更に、本発明にかかる他の斜面の緑化と安定化構造では、
間隔保持材として、板状で、かつ多数の貫通孔を表面から裏面まで貫通させた連結多孔体を使用するものである。
更に、本発明にかかる他の斜面の緑化と安定化構造では、
間隔保持材として、線状で、両端を多孔帯状体に引っ掛けることにより多孔帯状体の形状を維持するものである。
更に、本発明にかかる他の斜面の緑化と安定化構造では、
多孔帯状体として、樹脂、又は樹脂を含む複合材料、防錆処理した金網やエキスパンドメタルによって形成した帯状体とするものである。
更に、本発明にかかる他の斜面の緑化と安定化構造では、
法枠骨組みを格子状に配置することにより、縦枠と横枠とを形成し、
格子状の縦枠と横枠が形成する升目の中に、受圧板を設置するものである。
更に、本発明にかかる他の斜面の緑化と安定化構造では、
前記法面において、前記法枠骨組みを十文字状に配置することによって、縦枠と横枠とを形成し、
十文字状の法枠骨組みの間に、受圧板を設置するものである。
更に、本発明にかかる他の斜面の緑化と安定化構造では、
法枠骨組みを設置する前に、
斜面上に、多数の貫通孔を表面から裏面まで貫通させた多孔性材料を敷設するものである。
更に、本発明にかかる他の斜面の緑化と安定化構造では、
多孔性材料として、樹脂、又は樹脂を含む複合材料によって形成した網状材、或いは防錆処理した金網やエキスパンドメタルを使用するものである。
【０００５】
また、本発明にかかる斜面安定用受圧板は、
中心部にアンカーを通すアンカー孔を有し、
中心部から放射状に複数のリブと、
前記複数のリブの先端を繋ぐ外枠部とによって、リブと外枠部と間に植生孔が形成されており、
前記外枠部の一部が切欠かれて高さが低くなった植生部を有するものである。
また、本発明にかかる他の斜面安定用受圧板は、
外枠部、リブの一方、若しくは外枠部とリブの双方に、一方の側面から他方の側面に貫通する通水孔を設けるものである。
更に、本発明にかかる他の斜面安定用受圧板は、
鋳鉄、鋼製、プラスチック、繊維強化プラスチック、再生プラスチック、等によって形成するものである。
【発明の効果】
【０００６】
本発明の斜面の緑化と安定化工法及び斜面安定用受圧板は、以上説明したようになるから次のような効果を得ることができる。
＜ａ＞  多孔性帯状体を使用し、その中、若しくはその斜面側に植生可能な砂基材を詰めるため、法枠の上にも植生が可能である。
また、受圧板も植生孔を有しているため、植物が生育すれば、法枠のみならず、受圧板上をも植物が覆い、斜面全体の緑化が達成出来、斜面の景観は極めて良好となる。
＜ｂ＞法枠の間に、受圧板を設置してアンカーによって固定するため、法枠だけでは物足りなかった斜面の安定化を、受圧板によって補うため、緑化とともに斜面安定化の面でも優れた工法となる。
＜ｃ＞  法枠骨組みが法面において連続に配置されるため、地山が動いて押し出し力が生じても法枠が一体で抵抗する。
＜ｄ＞  多孔帯状体を樹脂、又は樹脂を含む複合材料、或いは防錆処理した金網などを使用したため、金属を材料とした場合に起こる腐食を防止することができ、長年にわたって確実に法枠を維持することができる。また、多孔帯状体をロール状に保管することができるため、法枠を施工する時の持ち運びなどを容易にすることができる。
＜ｅ＞  湾曲状態又は折り曲げ状態を維持する間隔保持材により、多孔帯状体の変形を維持すれば、法枠への植生を妨げることなく、より確実に多孔帯状体の変形を維持できる。
＜ｆ＞リブと外枠部を備える受圧板の外枠部に、一部が切り欠かれて高さが低くなった植生部を有するため、植生した樹木の根が、この植生部を乗り越えて根が外枠部を跨いで生育する。
このことによって、樹木による斜面の安定化がより促進されることになる。
＜ｇ＞リブと外枠部のいずれか、或いは双方に通水孔を貫通しておくことにより、上方から流れてきた肥料が水とともに通過し、受圧板の植生孔の内と外に行き渡ることになる。
【発明を実施するための最良の形態】
【０００７】
以下、図面を参照にしながら本発明の好適な実施の形態を詳細に説明する。
【実施例１】
【０００８】
＜１＞多孔帯状体
法枠Ａの骨組みは、多孔帯状体１によって構成する。
この多孔帯状体１は、多数の貫通孔を表面から裏面まで貫通させた材料を帯状に形成した資材である。
多数の貫通孔を表面から裏面まで貫通させた材料として、例えば合成樹脂や合成繊維、ガラス繊維、アラミド繊維、炭素繊維を樹脂に含侵させグリッド状に一体整形した線材を格子状に結合した資材を使用する。
図６の実施例に示す多孔帯状体１は、線材を多少の間隔を介して格子状に結合した材料であるから、線材と線材の間には多くの孔が開口している。
その孔を通して後述する砂基材の吹き付け、植物の根の法面に向けた侵入などを許容することができる。
【０００９】
＜２＞多孔帯状体の他の材料。
多孔帯状体１は、多数の貫通孔を有する材料であればよく、金網やエキスパンドメタルなども、網目を貫通孔として、その材料として採用できる。それらの金属製材料の場合は、亜鉛メッキ、より詳しくは亜鉛アルミニウム合金メッキなどにより防錆処理することが好ましい。
本発明では、「多孔帯状体１」を変形や屈曲させたものを、そのまま「法枠骨組み３」とすることもあるが、「多孔帯状体１」を変形や屈曲させて、多孔連結材２やスペーサー部材のような「間隔保持材」によって拘束して、「法枠骨組み３」とすることもある。
【００１０】
＜３＞多孔帯状体の変形。
この多孔帯状体１をアーチ状に湾曲変形させて、図６と図７に示すような、断面が半円状の法枠骨組み３を形成する。
多孔帯状体１を、断面コ字状やロ字状に折り曲げ変形させて法枠骨組み３を形成し、断面を矩形としてもよい。
【００１１】
＜４＞多孔帯体の他の変形
多孔帯状体１を、筒状に屈曲変形させて、法枠骨組み３としてもよい。筒の形状は円筒形状でもよいし、三角形や四角形などの他の多角形を成す角筒形状であってもよい。
或いは、多孔帯状体１の中間部分を波形に屈曲させて、斜面側に空間が出来るように伏せるように設置してもよい。
このように波形に屈曲させた場合は、波形部分がリブのように機能し、法枠骨組み３自体の強度が増すことになる。
ともあれ、法枠骨組み３の形状としては、法枠骨組み３と斜面５との間に形成した空間や、或いは筒形のように法枠骨組み３内部に、後に述べる砂基材４を充填できるような形状であれば広く採用可能であって、そのバリエーションは様々なものが考えられる。
【００１２】
＜５＞変形の維持
湾曲変形させても拘束が解除されると、原形が１枚の平板である多孔帯状体１は、もとの平板に戻ってしまう可能性もある。
そこで、アーチ状に湾曲変形させた多孔帯状体１の中間の位置に、間隔保持材として、図６と図７に示すような多孔連結材２を取り付けて変形状態を維持させる。
この多孔連結材２も、合成樹脂製や防錆処理した金網などの建設資材であり、多数の貫通孔を表面から裏面まで貫通させた板状体である。
この多孔連結材２の端部と、多孔帯状体１とを連結するには、例えば多孔連結材２の一部に切り込みを入れてＬ字状の枝を形成し、この枝を多孔帯状体１の線材に係合する方法を採用することができる。
あるいは鋼線によってリングを形成し、このリングを多孔帯状体１の開口部と多孔連結材２の開口部に係合する方法を採用することもできる。
なお、変形を維持するためには、単なる棒状体の両端にフックを形成したような針金などの線状のスペーサー部材を間隔保持材として使用して、拘束することも可能である。
ことに、筒状に屈曲した多孔帯状体１は、その筒形が変形しないように、間隔保持材を筒の中に掛け渡すと好適である。
【００１３】
＜６＞多孔性材料の敷設
法枠骨組み３を斜面５上に設置する前に、予め斜面５上に多孔性材料７を敷設することもある。
多孔性材料としては、多孔性帯状材１と同じ多数の貫通孔が形成された材料の使用が可能であって、アラミド繊維、炭素繊維を樹脂に含浸させ、グリッド状に一体成形した線材を格子状に結合した資材などが採用できる。
或いは、金網やエキスパンドメタルの表面を、亜鉛メッキ、より詳しくは亜鉛アルミニウム合金メッキによって防錆処理したような材料も採用できる。
このような多孔性材料７を法面５上に敷設することにより、法面の土壌の流出を防ぐとともに、貫通孔からの植生も阻害しない。
この多孔性材料７の上に重ねて、前記した法枠骨組み３を設置する。
【００１４】
＜７＞法枠骨組みの敷設
法面上に配置する。
変形させた法枠骨組み３を、隣接する法枠骨組み３との間に間隔を空けて、法枠Ａを構築する予定線の延長上に連続して法面の上に敷設する。
その場合に多孔帯状体１を、法面に縦方向（上下方向）と横断方向（水平方向）方向に交差させて敷設すれば、斜面５の表面に井桁（格子）状の法枠Ａを形成することができる。
ただし、井桁状、格子状ではなく、菱形状、あるいは縦、横いずれかを一方向に向けて敷設することももちろん可能である。
敷設したら、要部にアンカー６を打ち込んで法枠骨組み３の斜面上での移動を阻止する。
なお、実施例では法枠骨組み３を直接斜面５の上に敷設した場合を説明するが、前記したように斜面上に多孔性材料を敷設し、その金網の上に法枠骨組み３を敷設することも可能である。
【００１５】
＜８＞交差部の構成
縦枠Ａ１の法枠骨組み３と、横枠Ａ２の法枠骨組み３との交差部においては両者を分断せずに一体化するように構成する。
そのために、図７に示すように、縦枠Ａ１あるいは横枠Ａ２の一方の法枠骨組み３をつぶしたように変形させて他方の法枠骨組み３の下に配置する。
例えば一方の法枠骨組み３をアーチ状に構成した場合には、このアーチの半径を徐々に拡大してゆるいアーチとしてゆき、他の法枠骨組み３の下ではほぼ平面に近くなるまで半径を拡大させる。
このようにほぼ平面形状の法枠骨組み３を、他の法枠骨組み３の下に敷設し、交差部で上下に重なった法枠骨組み３を貫通して上方からアンカー６を打設して法面に縫い付ける。
アンカー６の長さは通常５０〜１５０ｃｍ程度であって、その太さは１０〜２０ｍｍ程度であるが、法枠Ａの高さなどに応じて選択され、アンカー６の長さは法枠Ａの高さの２〜５倍程度が好ましい。
【００１６】
＜９＞交差部の他の構成。
上記したのは、縦枠Ａ１の法枠骨組み３と、横枠Ａ２の法枠骨組み３を、一方の法枠骨組み３の下に、他方の法枠骨組み３を敷くようにして交差させる場合であるが、一方の法枠骨組み３を複数本平行に配置し、その間に交差する方向の法枠骨組み３を適宜間隔づつ空け、その両端を先に配置した法枠骨組み３の側面にドン付けするようにして格子状に組むことも可能である。
この場合、アンカー６は、縦横の交差部分に限らず、各法枠骨組み３を固定可能な位置を選択して行う。
或いは、縦枠Ａ１、或いは横枠Ａ２の双方を交差部分でドン付けするようにして格子状に組むことも可能である。
【００１７】
＜１０＞十文字形の法枠
格子状に組んだ法枠とは異なり、縦枠Ａ１と横枠Ａ２を十文字形に組むこともある。
縦枠Ａ１と横枠Ａ２は、或る程度長さが連続的になる法枠骨組み３を使用し、これをクロスさせて十文字形になるように組む。交差部でアンカー６によって法面に固定するのは同じである。（図７）
このような十文字形の法枠骨組み３を、法面５上に多数個、適宜間隔を置いて設置するものである。
設置の位置は、必ずしも隣り合う縦枠Ａ１と縦枠Ａ１、或いは横枠Ａ２と横枠Ａ２とが、その延長線上に一直線に並ばなくてもよい。例えば、十文字形の法枠Ａを、斜面５上に千鳥状に設置することもある。
【００１８】
＜１１＞砂基材の吹き付け
多孔帯状体１を斜面５上に敷設した後、多孔帯状体１の上からに砂基材４を吹き付ける。
砂基材４は、例えば砂と繊維とセメントと水を混合したような公知の材料を使用する。砂や繊維を接合する材料としてセメント材料を使用するが、接合材として、例えば高分子樹脂（接着剤のようなもの）も採用可能である。
混合する繊維は、短繊維でも長繊維でもよい。或いは短繊維を２種以上混合することもある。
繊維の種類としては、合成樹脂繊維の他、ガラス繊維、スチールファイバーなど様々な繊維が採用可能である。
この砂基材４を攪拌し、コンプレッサで圧縮した空気によって、斜面５に敷設した多孔帯状体１の上から、孔を通過して内部に侵入するよう、多孔帯状体１上部から砂基材４を吹き付ける。
さらに多孔帯状体１の周囲にも、多孔帯状体１を巻き込むように砂基材４を吹き付ける。
砂基材４の吹き付けに際しては、露出した斜面５を残して、多孔帯状体１の上を対象に吹き付けるが、吹き付けの際に跳ね返った砂基材４が多孔帯状体１の周囲、すなわち露出した斜面５上に飛散することは避けられない。
しかし砂基材４は植物の生育を阻害するものでなく、植生が可能な材料であるため、たとえ露出した斜面５上に飛散して残ったとしても問題はない。
したがって従来のように、法枠Ａで囲まれた内部にブルーシートを敷設して吹き付け材の飛散を阻止するというような枠内処理の作業は必要ない。
以上の施行の結果、多孔帯状体１に砂基材４の繊維が絡むことになり、大きな補強機能が得られる。
また多孔帯状体１に吹き付けた砂基材４は多孔帯状体１の孔１２を通過して強制的に充填されるから、斜面５の凹凸によって、多孔帯状体１が斜面５から離れていても、斜面５に密着した法枠Ａが形成される。
アーチ状などに変形させた後の多孔帯状体１の間を連結する多孔連結材２も多数の孔を開口しているから、多孔連結材２の下部の位置にも砂基材４を完全に充填することができる。
【００１９】
＜１２＞筒状法枠骨組みへの砂基材の吹き付け
多孔性帯状材１を円筒形や多角筒形にした法枠骨組み３には、多孔性帯状材１の貫通孔を通して、筒の内部に砂基材４を充填する。
円筒形の法枠骨組み３の場合は、法枠骨組み３の幅方向両側の骨組み３下と斜面５との間にも砂基材４を吹き付け、その設置を安定化する。
【００２０】
＜１３＞受圧板
法枠骨組み３の間には、受圧板Ｂを設置して、固定する。
図２〜図５に示す受圧板Ｂは、中心部にアンカー１１を通すアンカー孔８を有し、その中心部から放射状に伸びる複数のリブ９と、リブ９の先端を繋ぐ外枠部１０から成っている。
隣り合うリブ９・９と、外枠部１０とによって囲まれた空間は、植生可能な植生孔１２となっている。
外枠部１０の一部には、高さが低くなるよう切欠かれた植生部１３が形成されている。
植生部１３の高さは、外枠部１０の厚みの２／３程度である。
また植生部１３が設けられているのは、外枠部１０の１辺のうちの半分程度の長さである。
また、外枠部１０の左右両側面間に貫通する通水孔１４が開口している。
通水孔１４は、外枠部１０のみならず、リブ９に設けることも可能である。
図に示す実施例では、受圧板Ｂは、中心からリブ９が方形の外枠部１０に向って伸びた四角形の形状をしているが、外枠部１０として円形や他の多角形のものを採用することは可能であるし、リブ９にしても、中心部と外枠部１０とを繋ぐ役目を果たせばよく、曲線状のものや、リブ９と外枠部１０とが繋がった多数の植生孔１２の空いた板状のものとすることも可能である。
要するに、受圧板Ｂ自体は、植生を妨げないように植生孔１２を有すればよいので、その形状にこだわらない。
【００２１】
＜１４＞受圧板の設置
以上のような受圧板Ｂを、格子状に組んだ法枠Ａの井桁の中に設置する。
斜面５に予めアンカー１１を打設しておき、このアンカー１１を受圧板Ｂのアンカー孔８に通して、受圧板Ｂを斜面５上に設置する。
アンカー１１の受圧板Ｂから突出した部分にナット１８を螺合して、受圧板Ｂを固定し、キャップ１９を被せる。
実施例では、アンカー１１としてロックボルトを使用しているが、アンカー引張材の上部をシースの中に通して、下部の剥き出しにした部分を削孔内にてグラウト材で定着するグラウンドアンカーなども使用可能である。
【００２２】
＜１５＞植生基盤材の吹きつけ。
縦横の枠Ａ１、Ａ２の上や、法枠Ａ１やＡ２で囲まれた斜面の地山が露出している部分、及び受圧板Ｂの上や周囲に、植生基盤材１５を吹き付ける。
植生基盤材１５としては、植生基材、種子、肥料、接合材などを混合した公知のものを採用することができる。
この植生基盤材１５を、攪拌し、コンプレッサで圧縮した空気によって、砂基材４の吹き付けを行っていない露出した斜面５の上に吹き付け、法枠Ａを完成する。
【００２３】
＜１６＞枠の特徴。
前記したように砂基材４にはセメントを混合してある。
しかし一般に砂基材４において、セメント量はきわめて少量に設定しておく。
そのために砂基材４を吹き付けた法枠Ａの部分がコンクリートブロックのように強固に硬化してしまうことはなく、砂粒子間には十分な間隔が維持されている。
その結果、各法枠Ａは大きな保水性を維持することが可能であり、さらに周囲から飛来した植物の種子が砂基材４に定着することも可能である。
また、法枠骨組み３を敷設していない部分は、斜面５が露出しているから、そのこの露出面に周囲から飛来した植物の種子が定着して生育することは十分に可能である。
また、法枠Ａの上や、法枠Ａの間や、受圧板Ｂの上や周囲にも、植生基盤材１５を広く吹き付けてあるため、斜面５全体で、緑化を行える。
時間の経過とともに植物が生育すれば、根茎の緊縛力が大きくなることが期待できるため、経年後の法枠Ａはさらに傾斜面の安定性が向上する。
【００２４】
＜１７＞樹木の生育
図５に示すのは、樹木１６の植生の断面図であって、受圧板Ｂの上には、雨水とともに流れてきた土砂が、肥料などと一緒に溜まることになる。
この部分に植生した樹木１６は、その根１７を伸ばし、受圧板Ｂの外枠部１０の高さの低くなった植生部１３を乗り越えて、植生孔１２に入り込み、その下の土壌に根１７を張る。
このように、樹木１６が受圧板Ｂが設置されていても、充分にその根を四方に伸ばすことが可能であるため、植物の生育によって斜面５のより安定を図ることが可能である。
また、受圧板Ｂの外枠部１０には通水孔１４が設けられているため、水も、水と一緒に肥料なども受圧板Ｂの外枠部１０を通り抜け、より良好な植生が図れる。
【実施例２】
【００２５】
＜１８＞受圧板の他の使用態様
図８に示すのは、受圧板Ｂの他の使用態様であって、既に説明した受圧板Ｂ二枚を、植生部１３が形成された面を互いに合わせ、これを斜面５上に設置する例である。
このように二枚を使用することで、斜面５の押さえに必要な荷重を大きくすることができ、植生に必要な砂基材４、または緑化資材をより厚く詰めることができる。
重ねて使用しても、植生部１３は植生孔１２と連通しているため、植物の根は、植生部１３を通って植生孔１２内部に入り込むことが可能である。
植生部１３・１３を向き合わせることで、植生部１３・１３が合わさって開口を大きくできるが、二枚の受圧板Ｂを、それぞれ植生部１３が上面側となるように重ねることも可能である。
【図面の簡単な説明】
【００２６】
【図１】本発明の斜面の緑化と安定化工法を実施した斜視図である。
【図２】受圧板の一実施例の平面図である。
【図３】図２に受圧板の側面図である。
【図４】斜面に受圧板を設置する状態の説明図である。
【図５】図４の断面図である。
【図６】法枠の説明図である。
【図７】法枠の交差部分の断面図である。
【図８】受圧板の他の使用態様を示す斜視図である。
【符号の説明】
【００２７】
Ａ：法枠
Ａ１：縦枠
Ａ２：横枠
Ｂ：受圧板
１：多孔帯状体
２：多孔連結材
３：法枠骨組み
４：砂基材
５：斜面
８：アンカー孔
９：リブ
１０：外枠部
１１：アンカー
１２：植生孔
１３：植生部
１４：通水孔
１５：植生基盤材
１６：樹木
【図１】
2008303671.tif 000003
【図２】
2008303671.tif 000004
【図３】
2008303671.tif 000005
【図４】
2008303671.tif 000006
【図５】
2008303671.tif 000007
【図６】
2008303671.tif 000008
【図７】
2008303671.tif 000009
【図８】
2008303671.tif 000010